(57)【要約】【課題】情報の記録領域を広く確保して、視認性を高め若しくは情報の記録量を増加させることができ、また、カレンダーを、複数の利用者によってスケジュール管理や忘備録等に使用する場合であっても、各利用者の情報を極力分離表示してその識別性を高めることを課題とする。【解決手段】略矩形状の台紙１に複数の暦表示部３を並列的に形成し、これらの暦表示部に同一月の暦欄Ｍを表示してなり、各暦欄に情報記入欄を設け、この台紙を通年分重ね合わせた構成となっている。【選択図】図１
0003176063.tif 000002
【実用新案登録請求の範囲】
【請求項１】
略矩形状の台紙に複数の暦表示部を並列的に形成し、これらの暦表示部に同一月の暦欄を表示してなり、各暦欄に情報記入欄を設け、この台紙を、通年分重ね合わせてなることを特徴とするカレンダー。
【請求項２】
前記台紙の一辺に沿って所定幅の連結部を設け、前記台紙の前記一辺と反対側の辺から前記連結部近傍まで切り込むことにより、前記複数の暦表示部を相互に分離可能に形成してなることを特徴とする請求項１に記載のカレンダー。
【請求項３】
前記暦表示部に月単位の暦欄と空白のスケジュール欄とをそれぞれ設けてなることを特徴とする請求項１または請求項２の何れかに記載のカレンダー。
【請求項４】
前記暦表示部が２列形成されており、一方の暦表示部の前記暦欄の近傍に、この暦欄に表示されている月の前月の月暦を縮小して表示し、他方の暦表示部の前記暦欄の近傍に、この暦欄に表示されている月の次月の月暦を縮小して表示してなることを特徴とする請求項１ないし請求項３の何れかに記載のカレンダー。
【請求項５】
前記暦表示部が３列形成されており、一端の暦表示部の前記暦欄の近傍に、この暦欄に表示されている月の前月の月暦を縮小して表示し、中央の暦表示部の前記暦欄の近傍に、この暦欄に表示されている月の次月の月暦を縮小して表示し、他端の暦表示部の前記暦欄の近傍に、この暦欄に表示されている月の次々月の月暦を縮小して表示してなることを特徴とする請求項１ないし請求項３の何れかに記載のカレンダー。
【考案の詳細な説明】
【技術分野】
【０００１】
本考案はカレンダーに係わり、特に、カレンダーをスケジュール管理に用いる場合に好適なカレンダーに関するものである。
【背景技術】
【０００２】
一般に、カレンダーを単に日付や曜日の確認のためのみならず、カレンダー内に諸情報を書き込んで、スケジュール管理や忘備録として用いることが行なわれている。
【０００３】
このようにスケジュール管理や忘備録として用いる場合、当月の情報を記録するに当たって、その前後の月の情報、若しくはそれ以前や以降の情報を参考にする場合がしばしばある。
【０００４】
このような要望に対応するために、当月の月暦とその前後の月暦を並列的に並べて表示するようにした技術が提案されている（特許文献１）。
【先行技術文献】
【特許文献】
【０００５】
【特許文献１】実用新案登録第３１６４８５８号公報
【考案の概要】
【考案が解決しようとする課題】
【０００６】
前述した従来の技術によって、複数月の情報を同時に確認することができるという利便性を確保することができるようになったが、なお、つぎのような改善すべき問題点が残されている。
【０００７】
すなわち、前述し従来の技術にあっては、一月毎の暦が表示されている台紙と、この台紙が挿入保持されるスタンドとを用い、月順の複数の台紙を順次前記スタンドに挿入して複数月の暦を表示するようにしている。
【０００８】
しかしながら、このような従来の技術では、連続した月あるいは選択された任意の複数月を表示するようにしていることから、たとえば、複数の利用者のそれぞれのスケジュールや忘備録を表示することができない。
【０００９】
一方、このようなカレンダーにおいても、一つの台紙に複数の利用者の情報を記録して情報を共有することも可能であるが、限られたスペースの中に複数の情報を記録しなければならないから、記録できる情報量が制限され、また、一つの月暦表示の中に複数の利用者の情報が混在することとなり、情報の識別が煩雑になる。
【００１０】
本考案は、前述した従来の技術において残されている問題点を解決することができるカレンダーを提供することを課題とする。
【課題を解決するための手段】
【００１１】
本考案の請求項１に記載のカレンダーは、略矩形状の台紙に複数の暦表示部を並列的に形成し、これらの暦表示部に同一月の暦欄を表示してなり、各月暦欄に情報記入欄を設け、この台紙を、通年分重ね合わせてなることを特徴としている。
【００１２】
このような構成とすることにより、同一月の暦とスケジュールが並列表示される。
これによって、一方の暦表示部と他方の暦表示部に、同一月の異なるスケジュールを記録することができる。
【００１３】
したがって、同一月における複数の情報が分離記録されて、複数の利用者間で容易に情報を共有することができる。
また、利用者個々の情報が容易に識別できるばかりでなく、限られた領域における情報量が少なく、その確認が容易となる。
【００１４】
本考案の請求項２に記載のカレンダーは、請求項１に記載の前記台紙の一辺に沿って所定幅の連結部を設け、前記台紙の前記一辺と反対側の辺から前記連結部近傍まで切り込むことにより、前記複数の暦表示部を相互に分離可能に形成してなることを特徴としている。
【００１５】
このような構成とすることにより、前記複数の暦表示部を独立してめくったり、あるいは、前記連結部を残して切り離すことができ、他の利用者の他月のスケジュールの確認や、不要となった情報を個別に削除することが可能となる。
【００１６】
本考案の請求項３に記載のカレンダーは、請求項１または請求項２の何れかに記載の前記暦表示部に月単位の暦欄と空白のスケジュール欄とをそれぞれ設けてなることを特徴としている。
【００１７】
このような構成とすることにより、暦欄およびスケジュール欄とのそれぞに情報を記入することができるので、より多くの情報量を表示させることができる。
【００１８】
本考案の請求項４に記載のカレンダーは、請求項１ないし請求項３の何れかに記載の前記暦表示部が２列形成されており、一方の暦表示部の前記暦欄の近傍に、この暦欄に表示されている月の前月の月暦を縮小して表示し、他方の暦表示部の前記暦欄の近傍に、この暦欄に表示されている月の次月の月暦を縮小して表示してなることを特徴としている。
【００１９】
このような構成とすることにより、各暦表示部において主の月暦が表示された状態において、複数の暦表示部において前記主の月暦を挟んで連続する３ヶ月の月暦を確認することができる。
【００２０】
本考案の請求項５に記載のカレンダーは、請求項１ないし請求項３の何れかに記載の前記切り込みが２カ所で、前記暦表示部が３列形成されており、一端の暦表示部の前記暦欄の近傍に、この暦欄に表示されている月の前月の月暦を縮小して表示し、中央の暦表示部の前記暦欄の近傍に、この暦欄に表示されている月の次月の月暦を縮小して表示し、他端の暦表示部の前記暦欄の近傍に、この暦欄に表示されている月の次々月の月暦を縮小して表示してなることを特徴としている。
【００２１】
このような構成とすることにより、各暦表示部において主の月暦が表示された状態において、複数の暦表示部において前記主の月暦を挟んで連続する４ヶ月の月暦を確認することができる。
【考案の効果】
【００２２】
本考案によれば、情報の記録領域を広く確保して、視認性を高め若しくは情報の記録量を増加させることができ、また、カレンダーを、複数の利用者によってスケジュール管理や忘備録等に使用する場合であっても、各利用者の情報を極力分離表示してその識別性を高めることができる。
【図面の簡単な説明】
【００２３】
【図１】本考案の一実施形態を示す正面図である。
【図２】本考案の一実施形態を示すもので、一部をめくった状態を示す正面図である。
【図３】本考案の他の実施形態を示す正面図である。
【図４】本考案のさらに他の実施形態を示す正面図である。
【考案を実施するための形態】
【００２４】
以下、本考案の一実施形態を図１および図２を参照して説明する。
図１は本実施形態に係わるカレンダーを示し、このカレンダーは、略矩形状の台紙１の一辺に沿って所定幅の連結部２を設け、前記台紙１の前記一辺と反対側の辺から前記連結部３の近傍まで切り込む（切り込みＣ）ことにより、複数の暦表示部３を並列的に形成し、これらの暦表示部３に月単位の暦欄Ｍと空白のスケジュール欄Ｓとをそれぞれ設け、前記並列配置された複数の暦表示部３の暦欄Ｍに同一の月暦を表示してなり、この台紙１を通年分重ね合わせた構成となっている。
【００２５】
本実施形態においては、前記切り込みＣが１カ所で、前記暦表示部３が２列形成されており、一方の暦表示部３ａの前記暦欄Ｍの上方に、この暦欄Ｍに表示されている月の前月の月暦４が縮小して表示され、他方の暦表示部３ｂの前記暦欄Ｍの上方に、この暦欄Ｍに表示されている月の次月の月暦５が縮小して表示されている。
【００２６】
また、前記連結部２は、前記一辺から所定距離おいた位置に、この一辺と並行にミシン目６を入れることによって形成される。
【００２７】
このように構成された本実施形態に係わるカレンダーは、たとえば、一方の暦表示部３ａを第１の利用者に、また、他方の暦表示部３ｂを第２の利用者にそれぞれ割り当てて使用される。
【００２８】
そして、それぞれの利用者は、割り当てられた暦表示部３（３ａ・３ｂ）の暦欄Ｍもしくはスケジュール欄Ｓに、スケジュールやメモ等の情報を記入することによって個別に利用する。
【００２９】
ここで、両利用者は、同一月の他の利用者の情報を知ることができ、他の利用者とのスケジュール調整等が容易に行なわれる。
これらの情報は、個別に記載されるものであるから、両者の情報が混在することなく確認が容易であり、また、記載スペースを大きく取ることができるので、情報量もその分多くなる。
【００３０】
一方、それぞれの利用者において、当月のスケジュールが終了するなど、当月の情報が不要となった場合には、当該利用者が割り当てられている暦表示部３（たとえば他方の暦表示部３ｂ）を図２に示すようにめくり上げ、上方のミシン目６に沿って切り離して除去することができる。
【００３１】
これによって、次月のスケジュール等の情報を書き込むことができ、常に新しい情報を他の利用者へ提供することができる。
【００３２】
また、２つの暦表示部３ａ・３ｂに前月の月暦４と次月の月暦５が表示されていることにより、３ヶ月の連続した月暦を確認することができ、スケジュール等の設定に極めて有効である。
【００３３】
図３は、本考案の他の実施形態を示すもので、前記切り込みＣを２カ所に設けて、前記暦表示部３を３列形成したものである。
【００３４】
そして、一端の暦表示部３ａの前記暦欄Ｍの近傍に、この暦欄Ｍに表示されている月の前月の月暦４を縮小して表示し、中央の暦表示部３ｂの前記暦欄Ｍの近傍に、この暦欄Ｍに表示されている月の次月の月暦５を縮小して表示し、他端の暦表示部３ｃの前記暦欄Ｍの近傍に、この暦欄Ｍに表示されている月の次々月の月暦７を縮小して表示したものである。
【００３５】
本実施形態によれば、利用者を増やして、前述した実施形態において奏される作用効果を同様に奏することができることに加えて、連続する４ヶ月の月暦を確認することができる。
【００３６】
なお、前記各実施形態は一例であって、その使用方法等は利用者の使用目的等によって随時変更されるものである。
【００３７】
たとえば、前記実施形態においては、複数の利用者による使用形態を例示したが、一人の利用者が利用してもかまわない。
【００３８】
また、図４に示すように、前述した切り込みＣを設けることなく、一枚の台紙１に暦欄Ｍを併設するようにしてもよい。なお、台紙１に前述した切り込みＣを設けてもよい。
【符号の説明】
【００３９】
１  台紙
２  連結部
３  暦表示部
３ａ  一方の暦表示部
３ｂ  他方の暦表示部
４  前月の月暦
５  次月の月暦
６  ミシン目
７  次々月の月暦
Ｃ  切り込み
Ｍ  暦欄
Ｓ  スケジュール欄
【図１】
0003176063.tif 000003
【図２】
0003176063.tif 000004
【図３】
0003176063.tif 000005
【図４】
0003176063.tif 000006